(57)【要約】【課題】美容剤を容易に除去可能なリムーバーを提供する。【解決手段】リムーバー１は、磁石３を備えた吸着ヘッド部２を本体部１０に有している。吸着ヘッド部２は、表面２１上に主吸着領域２２を有している。主吸着領域２２は、その内部の点Ｏから法線Ｎ方向に１ｃｍ離れた地点Ｒにおける磁束密度が３６ｍＴ以上である。磁石３における一方の磁極面３２は、吸着ヘッド部２における主吸着領域２２を有する壁部２０１に面して配置されており、磁石３における他方の磁極面３３は、軟磁性体よりなる板状のヨーク材４に覆われていることが好ましい。【選択図】図４
2015016292.tif 000002
【特許請求の範囲】
【請求項１】
磁石を備えた吸着ヘッド部を本体部に有するリムーバーであって、
上記吸着ヘッド部は、表面上に主吸着領域を有し、
該主吸着領域内の点から法線方向に１ｃｍ離れた地点における磁束密度が３６ｍＴ以上であることを特徴とするリムーバー。
【請求項２】
上記磁石は、上記吸着ヘッド部に内蔵されていることを特徴とする請求項１に記載のリムーバー。
【請求項３】
上記磁石における一方の磁極面は、上記吸着ヘッド部における上記主吸着領域を有する壁部に面して配置されており、上記磁石における他方の磁極面は、軟磁性体よりなるヨーク材に覆われていることを特徴とする請求項２に記載のリムーバー。
【請求項４】
上記吸着ヘッド部は、略棒状を呈する上記本体部の一端に配されているとともに、上記本体部の長手方向と略直交する方向に膨出していることを特徴とする請求項１〜３のいずれか１項に記載のリムーバー。
【請求項５】
上記吸着ヘッド部は、頂面と、該頂面の外周端縁と上記本体部との間を接続する側面とを有しており、上記頂面は、少なくとも一部に上記主吸着領域を有していることを特徴とする請求項４に記載のリムーバー。
【請求項６】
上記吸着ヘッド部は、上記主吸着領域を上記頂面の中央部に有するとともに、美容剤を吸着除去可能に構成された端縁部吸着領域を外周端縁に有していることを特徴とする請求項５に記載のリムーバー。
【発明の詳細な説明】
【技術分野】
【０００１】
本発明は、ペースト状の美容剤を磁力によって吸着除去するリムーバーに関する。
【０００２】
美容のために用いられるペースト状の美容剤は、塗布後に時間をおくことで皮膜状になるものと、時間をおいてもペースト状態を維持するものとに大別される。塗布後に皮膜状になる美容剤は、その一部を把持して引き剥がすことにより、容易に肌から分離することができる。一方、塗布後にペースト状態を維持する美容剤を使用後に肌から除去する方法としては、コットン等による拭き取りや、ぬるま湯等により洗い落とす方法が一般的である。
【０００３】
これらの一般的方法よりもより簡便に使用後の美容剤を除去する方法として、例えば特許文献１に開示されるように、鉄粉を混合した美容剤と、本体に磁石を備えたリムーバーとを組み合わせて用いる方法が提案されている。特許文献１に記載のリムーバーは、本体の磁石をキャップ部により覆っており、磁石の磁力により美容剤中の鉄粉をキャップ部の表面に吸着させることができるよう構成されている。
【先行技術文献】
【特許文献】
【０００４】
【特許文献１】特開２００５−３１２４９７号公報
【発明の概要】
【発明が解決しようとする課題】
【０００５】
しかしながら、従来のリムーバーは、美容剤の吸着除去のしやすさの点で未だ改善の余地があり、磁力発生面と肌とを接触させることなく美容剤を吸着除去し得るリムーバーの開発が望まれている。すなわち、従来のリムーバーは、使用後の美容剤を肌から吸着させるために、磁力発生面を美容剤に十分に近づける必要がある。例えば顔等の比較的起伏の大きい形状を呈する部分に塗布した美容剤を吸着除去しようとする場合には、場合によっては磁力発生面と肌とを接触させる必要がある。そのため、美容剤に含まれる磁性粉が肌に擦りつけられ、肌に不要な刺激を与えるおそれがある。
【０００６】
本発明は、上記の背景に鑑みてなされたものであり、美容剤を容易に除去可能なリムーバーを提供しようとするものである。
【課題を解決するための手段】
【０００７】
本発明の一態様は、磁石を備えた吸着ヘッド部を本体部に有するリムーバーであって、上記吸着ヘッド部は、表面上に主吸着領域を有し、
該主吸着領域内の点から法線方向に１ｃｍ離れた地点における磁束密度が３６ｍＴ以上であることを特徴とするリムーバーにある。
【発明の効果】
【０００８】
上記リムーバーは、吸着ヘッド部の表面上に上記特性を有する主吸着領域を有している。そのため、リムーバーは、肌に塗布した美容剤に向けて主吸着領域を接近させることにより、遠方から美容剤の吸着除去を行うことができるものとなる。つまり、例えば周囲よりも窪んだ形状を呈する部位や、周囲よりも隆起した形状を呈する部位の基部等に主吸着領域を向けて吸着ヘッド部を肌に接近させることにより、吸着ヘッド部が肌から離間している状態を維持しつつ、これらの部位に塗布された美容剤を吸着除去しやすくなる。その結果、上記リムーバーの使用者は、起伏の大きい形状を呈し、美容剤を吸着除去しにくい部位においても美容剤の吸着除去を容易に行うことができる。
【０００９】
以上のように、上記リムーバーは、美容剤を容易に除去可能なものとなる。
【図面の簡単な説明】
【００１０】
【図１】実施例１における、リムーバーの斜視図。
【図２】実施例１における、リムーバーの側面図。
【図３】実施例１における、リムーバーの下面図（吸着ヘッド部の頂面側から見た平面図）。
【図４】図２のIV−IV線矢視断面図。
【図５】実施例１における、吸着ヘッド部の頂面上の磁束密度を示すグラフ。
【図６】実施例１における、吸着ヘッド部の頂面から法線方向に１ｃｍ離れた仮想平面上の磁束密度を示すグラフ。
【図７】実施例１における、吸着ヘッド部の頂面から法線方向に２ｃｍ離れた仮想平面上の磁束密度を示すグラフ。
【図８】実施例１における、吸着ヘッド部と反対側の表面上の磁束密度を示すグラフ。
【図９】実験例における、磁束密度が３６ｍＴであるリムーバーを用いて磁性粉の吸着除去を行った後の美容剤の状態を示す写真。
【図１０】実験例における、磁束密度が２８ｍＴであるリムーバーを用いて磁性粉の吸着除去を行った後の美容剤の状態を示す写真。
【図１１】実験例における、磁束密度が２７ｍＴであるリムーバーを用いて磁性粉の吸着除去を行った後の美容剤の状態を示す写真。
【図１２】実施例２における、磁石が露出した吸着ヘッド部を有するリムーバーの側面図。
【図１３】実施例３における、球状の本体部を有するリムーバーの斜視図。
【図１４】実施例４における、円筒状の本体部を有するリムーバーの斜視図。
【発明を実施するための形態】
【００１１】
リムーバーの吸着ヘッド部には、磁石が外部に露出した状態で設けられていてもよく、磁石が内蔵されていてもよい。磁石が外部に露出している場合には、磁石表面の少なくとも一部が主吸着領域となる。一方、磁石が吸着ヘッド部に内蔵されている場合には、吸着ヘッド部の外表面における少なくとも一部が主吸着領域となる。
【００１２】
主吸着領域は、当該領域内に基準点を設定したときに、該基準点における表面の法線方向に沿って、基準点から外方に１ｃｍ離れた地点の磁束密度が３６ｍＴ以上となるように構成されている。そのため、主吸着領域を肌に塗布した美容剤から１ｃｍ離した状態において、美容剤に混合された磁性粉に作用する磁力が十分に強くなる。その結果、主吸着領域を有するリムーバーは、吸着ヘッド部が肌から離間している状態を維持しつつ、肌に塗布した美容剤の吸着除去を効率よく行うことができるものとなる。美容剤の吸着除去をより効率よく行うためには、磁石から発生する磁力がより遠方まで作用するよう構成されていることが好ましく、上記基準点における表面の法線方向に沿って、基準点から外方に２ｃｍ離れた地点の磁束密度が３６ｍＴ以上となるように構成されていることがより好ましい。
【００１３】
一方、上記地点における磁束密度が３６ｍＴ未満の場合には、磁性粉に作用する磁力が不十分となるため、主吸着領域を肌により接近させて美容剤の吸着除去を行う必要がある。そのため、主吸着領域と肌に塗布された美容剤とが接触するおそれがあり、好ましくない。
【００１４】
磁石は、吸着ヘッド部に内蔵されていることが好ましい。すなわち、吸着ヘッド部を構成する部材により、磁石が覆われていることが好ましい。この場合には、上記部材の存在により、磁力により吸引された美容剤が磁石と直接接触することを防止できる。そのため、吸着ヘッド部から使用済みの美容剤を容易に除去することができる。
【００１５】
また、磁石における一方の磁極面は、吸着ヘッド部における主吸着領域を有する壁部に面して配置されており、磁石における他方の磁極面は、軟磁性体よりなる板状のヨーク材に覆われていてもよい。この場合には、ヨーク材の外周端縁が実質的な磁極となるため、例えばカップ状のヨーク材を用いる場合と比べて、磁石の一方の磁極面とヨーク材の外周端縁とを結ぶ磁力線のループ形状が一方の磁極面側に向けてより遠方まで伸びやすくなる。その結果、磁石の一方の磁極面側においてはリムーバーの外部空間に向けて、磁力がより遠方まで到達しやすくなり、肌に塗布した美容剤の吸着除去をより容易に行うことができる。
【００１６】
一方、他方の磁極面側においては、ヨーク材により磁界が遮蔽されるため、磁石の他方の磁極面側において吸着ヘッド部と反対側へ向けて作用する磁力が弱くなる。そのため、美容剤が吸着される部分を主吸着領域及びその周辺に限定させ、使用者が主吸着領域及びその周辺に吸着された美容剤に意図せず触れることを防止しやすくなる。その結果、リムーバーの使用中に手が汚れることを防止しやすくなる。上述のようにヨーク材を配設した場合には、例えば、吸着ヘッド部と反対側の表面の磁束密度を６０ｍＴ以下とすることができる。
【００１７】
また、吸着ヘッド部は、略棒状を呈する本体部の一端に配されているとともに、本体部の長手方向と略直交する方向に膨出して配設されていてもよい。この場合には、吸着ヘッド部が上記特定の形状を呈することにより、使用者がリムーバーを使用する際に、美容剤が塗布された肌面に主吸着領域を向けることが容易となる。その結果、リムーバーは、使用者にとってより扱いやすいものとなる。
【００１８】
また、吸着ヘッド部は、頂面と、該頂面の外周端縁と本体部との間を接続する側面とを有しており、頂面は、主吸着領域を中央部に有するとともに、美容剤を吸着除去可能に構成された端縁部吸着領域を外周端縁に有していてもよい。この場合には、頂面の外周端縁は、中央部に比べて、例えば周囲よりも窪んだ形状や隆起した形状を呈する部位の基部等に対して、吸着ヘッド部を肌から離間した状態を維持しつつ肌との距離をより近づけることができる。そのため、起伏の大きい形状を呈する部位に対しても、吸着ヘッド部が肌から離間している状態を維持しつつ、肌に塗布した美容剤の吸着除去をより効率よく行うことができる。
【００１９】
なお、端縁部吸着領域は、当該領域を肌に塗布した美容剤に接近させたときに、吸着ヘッド部が肌から離間している状態において美容剤を吸着除去可能に構成されている。これに限らず、更に端縁部吸着領域内に基準点を設定したときに、該基準点における表面の法線方向に沿って、基準点から外方に２ｃｍ離れた地点の磁束密度が３６ｍＴ以上となるように構成してもよい。
【実施例】
【００２０】
（実施例１）
上記リムーバーの実施例について、図１〜図８を用いて説明する。図１〜図４に示すように、リムーバー１は、磁石３を内蔵した吸着ヘッド部２を本体部１０に有している。吸着ヘッド部２は、表面２１上に主吸着領域２２を有している。そして、主吸着領域２２内の点Ｏから表面２１の法線Ｎ方向に２ｃｍ離れた地点Ｐ（図４参照）における磁束密度が３６ｍＴ以上である（図７参照）。
【００２１】
図１〜図３に示すように、リムーバー１の本体部１０は略棒状を呈しており、その一端に吸着ヘッド部２を有している。なお、以下において、リムーバー１に関する方向は、特に断りのない限り、本体部１０の長手方向における吸着ヘッド部２を有する端部の方向を前方とし、その反対側を後方とする。また、主吸着領域２２の設けられた方向を下方とし、その逆方向を上方とする。また、前後方向及び上下方向の双方と直交する方向を側方ということがある。これらの方向表示は便宜上のものであり、リムーバー１の使用時における実際の向きとは何ら関係がない。
【００２２】
本体部１０は、図２に示すように、側方から見たときに、前後方向（長手方向）の中央部１１が両端部に対して上方に位置するように湾曲して形成されている。また、本体部１０の両端部は、図３に示すように、上下方向から見たときの外形線が略円弧状を呈している。また、本体部１０の長手方向の中央部１１は、上下方向から見たときに両端に比べて幅狭に形成されている。
【００２３】
図２及び図３に示すように、吸着ヘッド部２は、略棒状の本体部１０の一端（前方）に配されている。また、図２に示すように、吸着ヘッド部２は、本体部１０の長手方向と略直交する方向（下方）に膨出している。
【００２４】
図２及び図３に示すように、吸着ヘッド部２は、頂面２４と、頂面２４の外周端縁２４１と本体部１０との間に形成された側面２４２とを有している。図３に示すように、頂面２４は、その中央部に主吸着領域２２を有するとともに、肌に塗布した美容剤を吸着除去可能に構成された端縁部吸着領域２４３を外周端縁２４１及びその近傍に有している。なお、本例の端縁部吸着領域２４３は、当該領域内の点から頂面２４の法線方向に１ｃｍ離れた地点における磁束密度が３６ｍＴ以上となるよう構成されている。
【００２５】
頂面２４は、図２に示すように平坦に形成されており、図３に示すように下方から見て略楕円形状を呈している。また、頂面２４は、外周端縁２４１における頂面２４の短軸近傍に、端縁部吸着領域２４３を具備している。
【００２６】
側面２４２は、図２に示すように、頂面２４の外周端縁２４１から上方に向けて徐々に拡径している。
【００２７】
本例においては、吸着ヘッド部２に内蔵された磁石３として、軸方向に向けて着磁された円柱状のネオジム磁石３１を用いている。ネオジム磁石３１は、吸着ヘッド部２の頂面２４における略中央部に配置されており、図４に示すように、その一方の磁極面３２が吸着ヘッド部２における主吸着領域２２を有する壁部２０１に面している。また、ネオジム磁石３１の他方の磁極面３３は、軟磁性体よりなる円板状のヨーク材４により覆われている。
【００２８】
図４に、ネオジム磁石３１から発生する磁力を表す磁力線５の概形を示す。磁力線５は、ネオジム磁石３１の一方の磁極面３２から主吸着領域２２を有する壁部２０１を通過して下方に伸び、ネオジム磁石３１の中心軸から径方向外方に外れた位置を頂点５１とするループ状を呈している。また、ネオジム磁石３１の他方の磁極面３３の近傍においては、磁力線５がヨーク材４に集中し、ヨーク材４よりも上方に漏れ出しにくくなっている。このように、本例のリムーバー１は、ネオジム磁石３１により生じる磁力が、ネオジム磁石３１に対して下方に向けてより遠方まで作用しやすく、かつ、上方に向けては磁力が作用しにくくなるように構成されている。
【００２９】
なお、本例において用いたネオジム磁石３１は、高さが約８ｍｍ、直径が約３０ｍｍの円柱状を呈している。また、ヨーク材４としては、厚さが約２ｍｍ、直径が約３０ｍｍの円板状を呈する鉄板を用いている。
【００３０】
このように構成されたリムーバー１における吸着ヘッド部２周辺の磁束密度を測定した結果を図５〜図８に示す。
【００３１】
図５は、ネオジム磁石３１の中心軸を通る側方方向の直線に沿って測定した、吸着ヘッド部２の頂面２４を含む平面上の磁束密度を示すグラフである。図５における縦軸は磁束密度の強さを示し、横軸は、磁束密度の測定位置を、ネオジム磁石３１の中心軸を０ｍｍとしたときの中心軸からの変位量により示している。
【００３２】
なお、図５においては、側方方向に沿って磁束密度を測定した例を示したが、ネオジム磁石３１の中心軸を通る直線に沿って測定すれば、いずれの方向であっても図５と同様の傾向を示す。また、ネオジム磁石３１の一方の磁極面３２は、図５中の鎖線で示したように、−１５．０ｍｍ〜１５．０ｍｍの範囲（矢印Ａ参照）に配置されている。
【００３３】
同様に、図６は、ネオジム磁石３１の中心軸を通る側方方向の直線に沿って測定した、吸着ヘッド部２の頂面２４と平行な面であって、かつ、頂面２４の法線Ｎ方向に１ｃｍ離れている仮想平面（図示略）上の磁束密度を示すグラフである。図６における縦軸は磁束密度の強さを示し、横軸は、磁束密度の測定位置を、ネオジム磁石３１の中心軸を０ｍｍとしたときの中心軸からの変位量により示している。また、図５と同様に、図６においては側方方向に沿って磁束密度を測定した例を示したが、ネオジム磁石３１の中心軸を通る直線に沿って測定すれば、いずれの方向であっても図６と同様の傾向を示す。その他の表示は、図５と同様である。
【００３４】
同様に、図７は、ネオジム磁石３１の中心軸を通る側方方向の直線に沿って測定した、吸着ヘッド部２の頂面２４と平行な面であって、かつ、頂面２４の法線Ｎ方向に２ｃｍ離れている仮想平面Ｑ（図４参照）上の磁束密度を示すグラフである。図７における縦軸は磁束密度の強さを示し、横軸は、磁束密度の測定位置を、ネオジム磁石３１の中心軸を０ｍｍとしたときの中心軸からの変位量により示している。また、図５と同様に、図７においては側方方向に沿って磁束密度を測定した例を示したが、ネオジム磁石３１の中心軸を通る直線に沿って測定すれば、いずれの方向であっても図７と同様の傾向を示す。その他の表示は、図５と同様である。
【００３５】
また、図８は、ネオジム磁石３１の中心軸と、本体部１０における吸着ヘッド部２の反対側の表面１０１（図２、図４参照）との交点を通る側方方向の直線に沿って測定した磁束密度を示すグラフである。図８における縦軸は磁束密度の強さを示し、横軸は、磁束密度の測定位置を、ネオジム磁石３１の中心軸を０ｍｍとしたときの中心軸からの側方方向の変位量により示している。その他の表示は、図５と同様である。また、図８においては側方方向に沿って磁束密度を測定した例を示したが、ネオジム磁石３１の中心軸を通る直線に沿い、かつ、ネオジム磁石３１からの測定位置の高さが一定であれば、いずれの方向であっても図７と同様の傾向を示す。
【００３６】
また、本例のリムーバー１は、本体部１０の側周面に第１電極１２と第２電極１３とを有している。図２及び図３に示すように、第１電極１２は、本体部１０の後方端部に配設されており、電極面が下方を向いている。図１に示すように、第２電極１３は、本体部１０における上方、つまり吸着ヘッド部２と反対側の表面１０１に配設されている。
【００３７】
本例のリムーバー１は、人体肌表面の電荷を有する美容成分を、第１電極１２と第２電極１３との間の電位差により肌内部に浸透させるイオン導入器としても構成されている。即ち、リムーバー１は、第１電極１２と第２電極１３との間に電位差を発生させることにより、人体肌表面の電荷を有する美容成分を肌内部に浸透させることができるよう構成されている。また、本例のリムーバー１は、第１電極１２と第２電極１３との双方が人体と接触したことを契機として、第１電極１２と第２電極１３との間に電位差を発生することができるよう構成されている。
【００３８】
次に、リムーバー１の作用効果を説明する。リムーバー１は、吸着ヘッド部２の表面２１上に上述した特性を有する主吸着領域２２を有している。そのため、リムーバー１は、肌に塗布した美容剤に向けて主吸着領域２２を接近させることにより、遠方から美容剤の吸着除去を行うことができるものとなる。その結果、リムーバー１の使用者は、起伏の大きい形状を呈し、美容剤を吸着除去しにくい部位においても美容剤の吸着除去を容易に行うことができる。
【００３９】
また、図４に示すように、ネオジム磁石３１における一方の磁極面３２は、吸着ヘッド部２における主吸着領域２２を有する壁部２０１に面して配置されており、ネオジム磁石３１における他方の磁極面３３は、軟磁性体よりなる板状のヨーク材４に覆われている。そのため、ネオジム磁石３１の一方の磁極面３２からリムーバー１の外部空間に向けて、磁力がより遠方まで到達しやすくなるとともに、他方の磁極面３３から吸着ヘッド部２と反対側の表面１０１へ向けて作用する磁力を弱くしやすくなる。その結果、リムーバー１は、肌に塗布した美容剤の吸着除去をより効率的に行うことができ、かつ、リムーバー１の使用中に手が汚れることを防止しやすくなる。
【００４０】
また、本例における吸着ヘッド部２は、略棒状を呈する本体部１０の一端に配されているとともに、本体部１０の長手方向と略直交する方向に膨出して配設されている。そのため、使用者がリムーバー１を使用する際に、美容剤が塗布された肌面に主吸着領域２２を向けることが容易となる。その結果、リムーバー１は、使用者にとってより扱いやすいものとなる。
【００４１】
また、吸着ヘッド部２は、頂面２４と、頂面２４の外周端縁２４１と本体部１０との間を接続する側面２４２とを有しており、頂面２４は、その中央部に主吸着領域２２を有するとともに、外周端縁２４１に端縁部吸着領域２４３を有している。すなわち、吸着ヘッド部２は、頂面２４の外周端縁２４１に角部（図４参照）を有し、該角部に配された端縁部吸着領域２４３により肌に塗布した美容剤を吸着除去可能に構成されている。
【００４２】
このように構成された吸着ヘッド部２は、角部（外周端縁２４１）を、起伏の大きい形状を呈する部位に対してより容易に接近させることができる。そのため、リムーバー１は、端縁部吸着領域２４３を接近させることにより、吸着ヘッド部２が肌から離間している状態を維持しつつ、肌に塗布した美容剤の吸着除去をより効率よく行うことができるものとなる。
【００４３】
以上のように、リムーバー１は、肌に塗布した美容剤を容易に吸着除去できるものとなり、かつ、使用者にとってより扱いやすいものとなる。
【００４４】
なお、本例においては、吸着ヘッド部２にネオジム磁石３１が内蔵されている。ネオジム磁石３１は、磁力を遠方まで作用させやすい性質を有するため、リムーバー１に好適に用いることができる。磁石３としては、ネオジム磁石３１以外にも、フェライト磁石等の種々の永久磁石や電磁石を用いることができる。
【００４５】
（実験例）
本例は、実施例１のリムーバー１における吸着ヘッド部２の磁気特性を定めるために、種々の磁気特性を有するリムーバーを用いて、美容剤中の磁性粉の吸着性能を評価した例である。以下に、実験方法を説明する。
【００４６】
本例において用いたリムーバーは、実施例１における吸着ヘッド部２に内蔵する磁石３等を変更することにより、主吸着領域２２内の点から法線Ｎ方向に２ｃｍ離れた地点Ｐにおける磁束密度が表１に示す値となるように構成されている。
【００４７】
一方、美容剤としては、粘度が２７５０ｍＰａ・ｓであるペースト状のものを用い、これに対してマグネタイトよりなる磁性粉を混合した。磁性粉の混合比は、美容剤と磁性粉との合計に対して７０質量％とした。また、磁性粉は、体積平均粒径が５０〜７０μｍであり、飽和磁化が約７６Ａｍ２/ｋｇであるものを用いた。なお、体積平均粒径は、レーザー回折散乱法により得られた粒径分布において、体積分布モード、ふるい下表示により得られる累積５０％粒子径（メジアン径）として算出することができる。
【００４８】
磁性粉の吸着性能の評価に当たっては、まず、上述のように混合した美容剤と磁性粉との混合物を、手の甲に約１８ｇ塗布した。次いで、リムーバーの主吸着領域２２が手の甲と略平行となるようにしつつ、リムーバーを美容剤へ接近させた。そして、主吸着領域２２内の点から法線Ｎ方向に２ｃｍ離れた地点Ｐに上記混合物が配されたときの、磁性粉が吸着された度合いを目視で確認した。その結果を表１に示す。なお、表１に示す記号のうち、Ａは磁性粉がほぼ吸着除去され、目視確認できない状態を示し、Ｂは磁性粉が大部分吸着されたが、塊状に凝集した磁性粉が数箇所程度残留した状態を示し、Ｃは塊状に凝集した磁性粉が多数残留した状態を示す記号である。
【００４９】
【表１】
2015016292.tif 000003
【００５０】
表１より知られるように、美容剤に作用する磁束密度の大きさが３６ｍＴ以上の場合には、磁性粉がリムーバーにほぼ吸着除去され、目視可能な塊状の残留物はほとんど見られなかった。図９に、主吸着領域２２内の点から法線Ｎ方向に２ｃｍ離れた地点Ｐにおける磁束密度が３６ｍＴであるリムーバーを用いて磁性粉の吸着除去を行った後の美容剤の写真を示す。図９に示すように、肌に塗布した美容剤６のうち、主吸着領域２２に対面した部分６１からは、磁性粉がほとんど吸着除去された。このように、実施例１のリムーバー１は、主吸着領域２２を肌に塗布した美容剤から２ｃｍ離した状態において、美容剤に含有される磁性粉を容易かつ効率よく行うことができることがわかる。なお、本実施形態では、塗布面からより離れた位置でも磁性粉の吸着除去ができるように、主吸着領域２２内の点から法線Ｎ方向に２ｃｍ離れた地点Ｐの磁束密度を３６ｍＴとしたが、主吸着領域２２内の点から法線Ｎ方向に１ｃｍ離れた地点Ｒ（図４参照）の磁束密度が３６ｍＴ以上となるように構成したリムーバー１であっても、上記作用を十分に発揮できる。
【００５１】
一方、美容剤に作用する磁束密度の大きさが３６ｍＴ未満の場合には、リムーバーが磁性粉を吸着除去しきれず、塊状の残留物が見られた。塊状の残留物が見られた例として、主吸着領域２２内の点から法線Ｎ方向に２ｃｍ離れた地点Ｐにおける磁束密度が２８ｍＴであるリムーバーを用いて磁性粉の吸着除去を行った後の美容剤の写真を図１０に示す。また、主吸着領域２２内の点から法線Ｎ方向に２ｃｍ離れた地点Ｐにおける磁束密度が２７ｍＴであるリムーバーを用いて磁性粉の吸着除去を行った後の美容剤の写真を図１１に示す。図１０及び図１１に示すように、主吸着領域２２内の点から法線Ｎ方向に２ｃｍ離れた地点Ｐにおける磁束密度の大きさが３６ｍＴ未満の場合には、主吸着領域２２に対面した部分６１に、塊状の残留物６２が見られた。また、美容剤に作用する磁束密度が小さくなるほど塊状の残留物６２が多く生じる傾向が見られた。
【００５２】
図１０、図１１及び表１から知られるように、主吸着領域２２内の点から法線Ｎ方向に１ｃｍ離れた地点Ｒにおける磁束密度が３６ｍＴ未満となるように構成されたリムーバーは、主吸着領域２２を肌から１ｃｍ未満の距離まで接近させて美容剤の吸着除去を行わないと、磁性粉を上手く除去することができない。そのため、場合によっては主吸着領域２２と美容剤とが接触するおそれが生じる。
【００５３】
なお、リムーバー１により肌から吸着除去される美容剤としては、上述したようなペースト状の美容剤に限定されず、クリーム状、ゲル状あるいは液状等の、肌に塗布する美容剤として一般的な性状を有するものが想定されるが、これ以外の性状であってもよい。また、美容剤は、種々の美容成分を含んでおり、例えば肌に栄養分を補給したり、肌の汚れ成分を浮き上がらせたりする等の美容効果を奏し得るよう構成されていてもよい。また、美容剤は、得ようとする美容効果に応じて、美容剤中の磁性粉が肌から磁力により吸着除去される際にその少なくとも一部が肌表面に残留するように構成されていてもよく、磁性粉に伴って肌表面からほとんど全部が除去されるように構成されていてもよい。
【００５４】
また、美容剤に混合される磁性粉には、強磁性を示す金属や金属酸化物からなるものを用いることができる。磁性粉の表面には、防錆や美容剤への分散性向上等の機能性を付与するコーティング等が施されていてもよい。
【００５５】
美容剤中への磁性粉の混合量や、磁性粉の材質、粒径、あるいは飽和磁化等の各種特性は、美容剤の性状や、所望の吸着特性に応じて適宜選択することができる。例えば、粘度が２０００〜３０００ｍＰａ・ｓであるペースト状の美容剤の場合には、ソフトフェライトを主成分とし、飽和磁化が８０Ａｍ２／ｋｇ以上である磁性粉が６０〜８０質量％含有されるように構成することができる。
【００５６】
（実施例２）
本例は、磁石３における一方の磁極面３２が外部に露出した吸着ヘッド部２ｂを有するリムーバー１ｂの例である。図１２に示すように、リムーバー１ｂは、実施例１と略同一の形状を呈する本体部１０を有している。吸着ヘッド部２ｂは、本体部１０の前方端部に設けられている。
【００５７】
吸着ヘッド部２ｂに設けられた磁石３は、略円柱状を呈しており、図１２に示すように、一方の磁極面３２が下方を向いている。図には示さないが、他方の磁極面３３は本体部１０に埋設されている。また、他方の磁極面３３は、ヨーク材４に覆われている。
【００５８】
本例のリムーバー１ｂには、実施例１と同一の磁石３を用いている。そのため、吸着ヘッド部２ｂの近傍における磁束密度の分布は、実施例１のリムーバー１と略同一である（図５〜図７参照）。それ故、本例のリムーバー１ｂは、外部に露出した一方の磁極面３２の中央部において、図７に示すように磁極面３２の法線方向に２ｃｍ離れた地点における磁束密度が３６ｍＴ以上となる。すなわち、本例のリムーバー１ｂは、一方の磁極面３２の中央部が主吸着領域２２となる。その他は実施例１と同様である。なお、図１２において用いた符号のうち、実施例１において用いた符号と同一のものは、実施例１と同様の構成要素等を表す。
【００５９】
（実施例３）
本例は、本体部１０の形状を球状に変更したリムーバー１ｃの例である。図１３に示すように、本例のリムーバー１ｃは、球状を呈する本体部１０ｃを有している。また、本体部１０ｃの一部に吸着ヘッド部２ｃが設けられている。
【００６０】
吸着ヘッド部２ｃは、平坦に形成された頂面２４ｃを有しており、頂面２４ｃの中央部に円柱状の磁石３が埋設されている。磁石３の一方の磁極面３２は、頂面２４ｃとが面一となるように配置されている。また、磁石３の一方の磁極面３２は、吸着ヘッド部２ｃの外部に露出しており、磁極面３２の中央部が主吸着領域２２を構成している。図には示さないが、他方の磁極面３３は、ヨーク材４に覆われている。その他は実施例１と同様である。なお、本例において用いた符号のうち、実施例１において用いた符号と同一のものは、実施例１と同様の構成要素等を表す。
【００６１】
（実施例４）
本例は、本体部１０の形状を円筒状に変更したリムーバー１ｄの例である。図１４に示すように、本例のリムーバー１ｄは、円筒状を呈する本体部１０ｄを有している。吸着ヘッド部２ｄは、本体部１０ｄの一方の端面１０２に設けられている。
【００６２】
吸着ヘッド部２ｄは、平坦に形成された端面１０２と、端面１０２の中央部に埋設された円柱状の磁石３とを有しており、磁石３の一方の磁極面３２と端面１０２とが面一となるように配置されている。また、磁石３の一方の磁極面３２は、吸着ヘッド部２ｄの外部に露出しており、磁極面３２の中央部が主吸着領域２２を構成している。図には示さないが、他方の磁極面３３は、ヨーク材４に覆われている。その他は実施例１と同様である。なお、本例において用いた符号のうち、実施例１において用いた符号と同一のものは、実施例１と同様の構成要素等を表す。
【００６３】
実施例２〜４に示したように、リムーバー１は、吸着ヘッド部２において、磁石３を露出させた構成を取ることも可能である。磁石３を吸着ヘッド部２から露出させた場合には、磁石３の表面上に主吸着領域２２が設けられる。そして、リムーバー１が主吸着領域２２を有することにより、実施例２〜４のリムーバー１は、実施例１と同様の作用効果を奏することができる。
【００６４】
また、本体部１０の形状は、実施例１〜４に示すように、種々の形状を取り得る。例えば、実施例３及び４において、磁石３の一方の磁極面３２を吸着ヘッド部２の頂面で覆うことにより、球状や筒状を呈する本体部１０と、磁石３を内蔵した吸着ヘッド部２とを有するように構成することも可能である。
【符号の説明】
【００６５】
１  リムーバー
１０  本体部
２  吸着ヘッド部
２１  表面
２２  主吸着領域
３  磁石
【図１】
2015016292.tif 000004
【図２】
2015016292.tif 000005
【図３】
2015016292.tif 000006
【図４】
2015016292.tif 000007
【図５】
2015016292.tif 000008
【図６】
2015016292.tif 000009
【図７】
2015016292.tif 000010
【図８】
2015016292.tif 000011
【図１２】
2015016292.tif 000012
【図１３】
2015016292.tif 000013
【図１４】
2015016292.tif 000014
【図９】
2015016292.tif 000015
【図１０】
2015016292.tif 000016
【図１１】
2015016292.tif 000017